(57)【要約】【課題】携帯端末操作者がその時々の状況に合わせて必要とされるデータを必要な組み合わせで表示できるようにする。【解決手段】携帯端末装置１０から部品選択要求を行うと、音声入力の場合は音声をテキスト化した形で携帯端末用データ編集装置２０に対して部品選択要求を行われる。これにより、前記要求される部品情報がデータサーバ２９で収集されて携帯端末装置１０に送信される。携帯端末１０において部品選択を行うと、音声入力の場合は音声をテキスト化した形で部品選択要求が携帯端末用データ編集装置２０に対して行われる。このような操作を繰り返すことにより、製造や監視に必要な制御データ等を携帯端末１０を利用して柔軟に参照できるようにする。【選択図】図１
2007115009.tif 000002
【特許請求の範囲】
【請求項１】
ネットワークを介して接続された携帯端末用データ編集装置とともに操業データ表示システムを構成する携帯端末装置であって、
前記携帯端末用データ編集装置に対して表示用の部品リストを要求する部品リスト要求手段と、
前記部品リスト要求手段の要求に応じて前記携帯端末用データ編集装置から送られてきた部品リストを表示画面に表示する表示制御手段と、
前記表示画面に表示された部品リストの中から所望する表示部品の選択を行う表示部品選択手段と、
前記表示部品選択手段の要求に応じて前記携帯端末用データ編集装置から送られてきた表示データを選択する表示データ選択手段とを有することを特徴とする携帯端末装置。
【請求項２】
使用者により入力された音声をテキストデータに変換するテキスト変換手段を有することを特徴とする請求項１に記載の携帯端末装置。
【請求項３】
前記表示制御手段は、前記携帯端末用データ編集装置から送られてきた表示データを前記表示装置にグラフ表示及びデータ表示することを特徴とする請求項１または２に記載の携帯端末装置。
【請求項４】
ネットワークを介して接続された携帯端末装置とともに操業データ表示システムを構成する携帯端末用データ編集装置であって、
前記携帯端末装置から送られるテキストデータに係る送受信処理を行うテキストデータ送受信手段と、
前記携帯端末装置から送られる部品リスト要求に応じて表示用の部品リストを編集する部品リスト編集手段と、
前記前記携帯端末装置から送られる部品選択要求に応じてデータリストを編集するデータリスト編集手段と、
前記前記携帯端末装置から送られる表示データ要求に応じて、前記携帯端末装置の表示装置に表示する表示データを生成する画面編集手段とを有することを特徴とする携帯端末用データ編集装置。
【請求項５】
前記テキストデータ送受信手段は、前記携帯端末装置から送信された表示要求を受信すると、要求パラメータを表示要求として要求テキスト対比テーブルを検索するとともに、前記部品リスト編集手段に部品リスト編集を依頼し、
前記部品リスト編集手段は、前記テキストデータ送受信手段から部品リスト編集を依頼されると、部品リストテーブルを検索してグラフ部品及びテキスト部品を該当する部品リストとして編集することを特徴とする請求項４に記載の携帯端末用データ編集装置。
【請求項６】
前記テキストデータ送受信手段は、前記携帯端末装置からグラフ表示の要求を受信すると、要求パラメータをデータリスト編集として要求テキスト対比テーブルを検索するとともに、前記データリスト編集手段にデータリスト編集を依頼し、
前記データリスト編集手段は、前記テキストデータ送受信手段からデータリスト編集を依頼されると、データリストテーブルを検索して該当するテキストデータを前記携帯端末装置が表示可能に編集することを特徴とする請求項４または５に記載の携帯端末用データ編集装置。
【請求項７】
前記テキストデータ送受信手段は、前記携帯端末装置から要求に応じた画面編集を行うように画面編集手段に依頼し、
前記画面編集手段は、前記テキストデータ送受信手段からの画面編集依頼に応じて該当するテキストデータ及びグラフデータを前記携帯端末装置が表示可能な表示データに編集することを特徴とする請求項４〜６の何れか１項に記載の携帯端末用データ編集装置。
【請求項８】
ネットワークを介して接続された携帯端末用データ編集装置とともに操業データ表示システムを構成する携帯端末装置の制御方法であって、
前記携帯端末用データ編集装置に対して表示用の部品リストを要求する部品リスト要求ステップと、
前記部品リスト要求ステップの要求に応じて前記携帯端末用データ編集装置から送られてきた部品リストを表示画面に表示する表示制御ステップと、
前記表示画面に表示された部品リストの中から所望する表示部品の選択を行う表示部品選択ステップと、
前記表示部品選択ステップの要求に応じて前記携帯端末用データ編集装置から送られてきた表示データを選択する表示データ選択ステップとを有することを特徴とする携帯端末装置の制御方法。
【請求項９】
使用者により入力された音声をテキストデータに変換するテキスト変換ステップを有することを特徴とする請求項８に記載の携帯端末装置の制御方法。
【請求項１０】
前記表示制御ステップは、前記携帯端末用データ編集装置から送られてきた表示データを前記表示装置にグラフ表示及びデータ表示することを特徴とする請求項８または９に記載の携帯端末装置の制御方法。
【請求項１１】
ネットワークを介して接続された携帯端末装置とともに操業データ表示システムを構成する携帯端末用データ編集装置の制御方法であって、
前記携帯端末装置から送られるテキストデータに係る送受信処理を行うテキストデータ送受信ステップと、
前記携帯端末装置から送られる部品リスト要求に応じて表示用の部品リストを編集する部品リスト編集ステップと、
前記前記携帯端末装置から送られる部品選択要求に応じてデータリストを編集するデータリスト編集ステップと、
前記前記携帯端末装置から送られる表示データ要求に応じて、前記携帯端末装置の表示装置に表示する表示データを生成する画面編集ステップとを有することを特徴とする携帯端末用データ編集装置の制御方法。
【請求項１２】
前記テキストデータ送受信ステップは、前記携帯端末装置から送信された表示要求を受信すると、要求パラメータを表示要求として要求テキスト対比テーブルを検索するとともに、前記部品リスト編集ステップに部品リスト編集を依頼し、
前記部品リスト編集ステップは、前記テキストデータ送受信ステップから部品リスト編集を依頼されると、部品リストテーブルを検索してグラフ部品及びテキスト部品を該当する部品リストとして編集することを特徴とする請求項１１に記載の携帯端末用データ編集装置の制御方法。
【請求項１３】
前記テキストデータ送受信ステップは、前記携帯端末装置からグラフ表示の要求を受信すると、要求パラメータをデータリスト編集として要求テキスト対比テーブルを検索するとともに、前記データリスト編集ステップにデータリスト編集を依頼し、
前記データリスト編集ステップは、前記テキストデータ送受信ステップからデータリスト編集を依頼されると、データリストテーブルを検索して該当するテキストデータを前記携帯端末装置が表示可能に編集することを特徴とする請求項１１または１２に記載の携帯端末用データ編集装置の制御方法。
【請求項１４】
前記テキストデータ送受信ステップは、前記携帯端末装置から要求に応じた画面編集を行うように画面編集ステップに依頼し、
前記画面編集ステップは、前記テキストデータ送受信ステップからの画面編集依頼に応じて該当するテキストデータ及びグラフデータを前記携帯端末装置が表示可能な表示データに編集することを特徴とする請求項１１〜１３の何れか１項に記載の携帯端末用データ編集装置の制御方法。
【請求項１５】
ネットワークを介して接続された携帯端末用データ編集装置とともに操業データ表示システムを構成する携帯端末装置の制御方法をコンピュータに実行させるコンピュータプログラムであって、
前記携帯端末用データ編集装置に対して表示用の部品リストを要求する部品リスト要求ステップと、
前記部品リスト要求ステップの要求に応じて前記携帯端末用データ編集装置から送られてきた部品リストを表示画面に表示する表示制御ステップと、
前記表示画面に表示された部品リストの中から所望する表示部品の選択を行う表示部品選択ステップと、
前記表示部品選択ステップの要求に応じて前記携帯端末用データ編集装置から送られてきた表示データを選択する表示データ選択ステップとを有する携帯端末装置の制御方法をコンピュータに実行させることを特徴とするコンピュータプログラム。
【請求項１６】
ネットワークを介して接続された携帯端末装置とともに操業データ表示システムを構成する携帯端末用データ編集装置の制御方法をコンピュータに実行させるコンピュータプログラムであって、
前記携帯端末装置から送られるテキストデータに係る送受信処理を行うテキストデータ送受信ステップと、
前記携帯端末装置から送られる部品リスト要求に応じて表示用の部品リストを編集する部品リスト編集ステップと、
前記前記携帯端末装置から送られる部品選択要求に応じてデータリストを編集するデータリスト編集ステップと、
前記前記携帯端末装置から送られる表示データ要求に応じて、前記携帯端末装置の表示装置に表示する表示データを生成する画面編集ステップとを有する携帯端末用データ編集装置の制御方法をコンピュータに実行させることを特徴とするコンピュータプログラム。
【請求項１７】
前記請求項１５または１６に記載のコンピュータプログラムを記録したことを特徴とするコンピュータ読み取り可能な記録媒体。
【請求項１８】
前記請求項１〜３の何れか１項に記載の携帯端末装置と、前記請求項４〜７の何れか１項に記載の携帯端末用データ編集装置とを有することを特徴とする携帯端末装置を用いたデータ閲覧システム。
【発明の詳細な説明】
【技術分野】
【０００１】
本発明は携帯端末装置、携帯端末用データ編集装置及び携帯端末装置を用いたデータ閲覧システムに関し、例えば、製造ラインにおける製造状況を確認するために用いて好適な技術に関する。
【背景技術】
【０００２】
例えば、現在の製鉄製造における工場での生産において、運転室には監視用の固定モニタが設置されている。また一部では携帯端末に対して同じく固定情報を表示することもおこなわれている。これらは、１画面毎にアプリケーションとして作り込まれており、固定された画面フォーマットの中にあるデータエリアに指定されたデータを表示するようにしていた。
同一画面について、携帯端末の個々の詳細仕様に合わせた画面編集を行う方法は開示されている（例えば、特許文献１参照）。これは、表示される画面の配置やフォントを携帯端末機器の特性に合わせた変換を行うようにしている。
【０００３】
前記特許文献１に記載の「コンテンツ定義作成支援装置」においては、任意の端末のコンテンツ定義情報を他の端末のコンテンツ定義情報に基づいて編集して作成するために、端末特性情報から各端末間の端末関係における経路が作成される端末特性情報部と、他の編集前のコンテンツ定義情報と他の編集後のコンテンツ定義情報との差分を他の編集前の端末特性情報および他の編集後の端末特性情報と関連付けて差分情報として生成し差分情報ＤＢに登録する差分情報生成装置と、他の端末の端末特性情報から任意の端末の端末特性情報に至る端末関係の経路を端末特性情報の端末関係の経路から検索し当該検索された端末関係の経路上における各端末間の端末特性情報に対応する差分情報を抽出してコンテンツ定義編集手段に渡す差分編集装置とを備えている。
【０００４】
【特許文献１】特開２００５−６３２５１号公報
【発明の開示】
【発明が解決しようとする課題】
【０００５】
従来は、携帯端末装置の画面に表示可能な情報は、予め携帯端末用データ編集装置に格納されているデータのみであった。このため、例えば、製鉄プロセスの中で、製造や監視に必要な制御データ等を運転室の監視用の固定モニタや携帯端末には表示されるが、現場での作業中にオペレータが望む的確な情報はケースバイケースで変化するものであり、現場でこのような任意の情報を携帯端末の表示画面に柔軟に参照することができない問題点があった。
【０００６】
このため、その時々や状況等に応じて種々に変化する必要なデータの組み合わせ要求に応えることができなかった。
本発明は前述の問題点にかんがみ、携帯端末操作者がその時々の状況に合わせて必要とされるデータを必要な組み合わせで表示できるようにすることを目的とする。
【課題を解決するための手段】
【０００７】
本発明の携帯端末装置は、ネットワークを介して接続された携帯端末用データ編集装置とともに操業データ表示システムを構成する携帯端末装置であって、前記携帯端末用データ編集装置に対して表示用の部品リストを要求する部品リスト要求手段と、前記部品リスト要求手段の要求に応じて前記携帯端末用データ編集装置から送られてきた部品リストを表示画面に表示する表示制御手段と、前記表示画面に表示された部品リストの中から所望する表示部品の選択を行う表示部品選択手段と、前記表示部品選択手段の要求に応じて前記携帯端末用データ編集装置から送られてきた表示データを選択する表示データ選択手段とを有することを特徴とする。
【０００８】
本発明の携帯端末用データ編集装置は、ネットワークを介して接続された携帯端末装置とともに操業データ表示システムを構成する携帯端末用データ編集装置であって、前記携帯端末装置から送られるテキストデータに係る送受信処理を行うテキストデータ送受信手段と、前記携帯端末装置から送られる部品リスト要求に応じて表示用の部品リストを編集する部品リスト編集手段と、前記前記携帯端末装置から送られる部品選択要求に応じてデータリストを編集するデータリスト編集手段と、前記前記携帯端末装置から送られる表示データ要求に応じて、前記携帯端末装置の表示装置に表示する表示データを生成する画面編集手段とを有することを特徴とする。
【０００９】
本発明の携帯端末装置の制御方法は、ネットワークを介して接続された携帯端末用データ編集装置とともに操業データ表示システムを構成する携帯端末装置の制御方法であって、前記携帯端末用データ編集装置に対して表示用の部品リストを要求する部品リスト要求ステップと、前記部品リスト要求ステップの要求に応じて前記携帯端末用データ編集装置から送られてきた部品リストを表示画面に表示する表示制御ステップと、前記表示画面に表示された部品リストの中から所望する表示部品の選択を行う表示部品選択ステップと、前記表示部品選択ステップの要求に応じて前記携帯端末用データ編集装置から送られてきた表示データを選択する表示データ選択ステップとを有することを特徴とする。
【００１０】
本発明の携帯端末用データ編集装置の制御方法は、ネットワークを介して接続された携帯端末装置とともに操業データ表示システムを構成する携帯端末用データ編集装置の制御方法であって、前記携帯端末装置から送られるテキストデータに係る送受信処理を行うテキストデータ送受信ステップと、前記携帯端末装置から送られる部品リスト要求に応じて表示用の部品リストを編集する部品リスト編集ステップと、前記前記携帯端末装置から送られる部品選択要求に応じてデータリストを編集するデータリスト編集ステップと、前記前記携帯端末装置から送られる表示データ要求に応じて、前記携帯端末装置の表示装置に表示する表示データを生成する画面編集ステップとを有することを特徴とする。
【００１１】
本発明のコンピュータプログラムは、ネットワークを介して接続された携帯端末用データ編集装置とともに操業データ表示システムを構成する携帯端末装置の制御方法をコンピュータに実行させるコンピュータプログラムであって、前記携帯端末用データ編集装置に対して表示用の部品リストを要求する部品リスト要求ステップと、前記部品リスト要求ステップの要求に応じて前記携帯端末用データ編集装置から送られてきた部品リストを表示画面に表示する表示制御ステップと、前記表示画面に表示された部品リストの中から所望する表示部品の選択を行う表示部品選択ステップと、前記表示部品選択ステップの要求に応じて前記携帯端末用データ編集装置から送られてきた表示データを選択する表示データ選択ステップとを有する携帯端末装置の制御方法をコンピュータに実行させることを特徴とする。
また、本発明のコンピュータプログラムの他の特徴とするところは、ネットワークを介して接続された携帯端末装置とともに操業データ表示システムを構成する携帯端末用データ編集装置の制御方法をコンピュータに実行させるコンピュータプログラムであって、前記携帯端末装置から送られるテキストデータに係る送受信処理を行うテキストデータ送受信ステップと、前記携帯端末装置から送られる部品リスト要求に応じて表示用の部品リストを編集する部品リスト編集ステップと、前記前記携帯端末装置から送られる部品選択要求に応じてデータリストを編集するデータリスト編集ステップと、前記前記携帯端末装置から送られる表示データ要求に応じて、前記携帯端末装置の表示装置に表示する表示データを生成する画面編集ステップとを有する携帯端末用データ編集装置の制御方法をコンピュータに実行させることを特徴とする。
【００１２】
本発明の記録媒体は、前記に記載のコンピュータプログラムを記録したことを特徴とする。
【００１３】
本発明の携帯端末装置を用いたデータ閲覧システムは、前記の何れかに記載の携帯端末装置と、前記の何れかに記載の携帯端末用データ編集装置とを有することを特徴とする。
【発明の効果】
【００１４】
本発明によれば、必要とする表示要求を所定のデータ単位毎に携帯端末装置から携帯端末用データ編集装置に要求して、携帯端末装置に表示することができるようにしたので、携帯端末操作者がその時々の状況に合わせて必要とされるデータを必要な組み合わせで携帯端末装置に表示することができる。これにより、例えば産業プラントにおけるトラブル原因の早期究明などに大きく寄与することができる。
また、本発明の他の特徴によれば、音声入力方式を採用したので、携帯端末特有のペンタッチ操作を行うことなく必要な情報を入力することができ、
【発明を実施するための最良の形態】
【００１５】
（第１の実施の形態）
以下、図面を参照しながら本発明の携帯端末装置、携帯端末用データ編集装置及び携帯端末装置を用いたデータ閲覧システムの実施形態を説明する。
本実施形態においては、(１)製鉄プロセスの中で、携帯端末で製造や監視に必要な制御データ等を柔軟に参照できるようにすること。（２）参照したいデータはその時々や状況によりその組み合わせなどが異ならせることができるようにすること。（３）必要なデータを端末入力だけでなく音声でも問合せができるようにすること、等の条件を満たすようにしている。前記の条件の下で、その時に必要なデータを逐次要求することで表示可能とする。
【００１６】
図１は、本実施形態の携帯端末装置の概略構成を示すブロック図である。図１に示したように、本実施形態の携帯端末装置１０は、表示部１１、表示制御部１２、音声テキスト変換部１３、無線通信部１４等によって構成されている。
【００１７】
また、図２に示すように、本実施形態の携帯端末用データ編集装置２０は、テキストデータ送受信処理部２１、部品リスト編集部２２、データリスト編集部２３、画面編集部２４、要求テキスト（ＴＸＴ）対比テーブル（ＴＢＬ）２５、部品リストテーブル２６、データリスト編集テーブル２７、選択部品ＩＤ ＷＫ２８、データベース２９等によって構成されている。
【００１８】
次に、前述のように構成された携帯端末装置１０及び携帯端末用データ編集装置２０を用いた操業データ表示システムの実施形態を説明する。
図３は、携帯端末装置１０と携帯端末用データ編集装置２０との間で行われるデータの授受フローを示したものであり、携帯端末装置１０の第１の状態を１０(１)、第２の状態を１０（２）、第３の状態を１０（３）、第４の状態を１０（４）で示している。
【００１９】
図３に示したように、携帯端末装置１０は第１の状態１０(１)において、部品リスト要求テキストを携帯端末用データ編集装置２０に送信する（ステップＳ３１）。以下の例においては、携帯端末装置１０の入力を音声入力で行うことができるようにして、操業現場においてペンタッチ入力を行う不便を解消した例を示す。
【００２０】
携帯端末装置１０から送信された、「部品リスト要求テキスト」は、携帯端末用データ編集装置２０において、テキストデータ送受信処理部２１において受信される。テキストデータ送受信処理部２１は、携帯端末装置１０からの要求に応じて部品リストテーブル２６を探索し、「部品選択画面データ」を携帯端末装置１０に送信する（ステップＳ３２）。
【００２１】
「部品選択画面データ」を受信した携帯端末装置１０は、それを表示部１１に表示し、所望する部品を選択する。この状態を携帯端末装置１０の第２の状態１０（２）として示している。携帯端末装置１０は必要な部品を選択し、「部品選択要求テキスト」として携帯端末用データ編集装置２０に送信する（ステップＳ３３）。
【００２２】
携帯端末装置１０から送信された「部品選択要求テキスト」を受信すると、携帯端末用データ編集装置２０のテキストデータ送受信処理部２１は、データリスト編集部２３によりデータリスト編集テーブル２７を探索し、携帯端末装置１０から要求された、「表示データ選択画面データ」を携帯端末装置１０に送信する（ステップＳ３４）。
【００２３】
携帯端末装置１０は、携帯端末用データ編集装置２０から送られた「表示データ選択画面データ」を受信すると、それを表示部１１に表示して所望の表示データを選択する。この状態を第３の状態１０（３）として示している。携帯端末装置１０は、図３の例では表示部１１に表示された中から「１ｍ定長温度」を選択した例を示している。このようにして、所望の表示データを決定したら、携帯端末用データ編集装置２０に対して「表示データ要求テキスト」を送信する（ステップＳ３５）。
【００２４】
携帯端末用データ編集装置２０は、携帯端末装置１０から送信された「表示データ要求テキスト」を受信すると、画面を管理している選択部品ＩＤ ＷＫ２８から「１ｍ定長温度」に係る表示データを取得し、それを画面編集部２４により「表示データ」として編集して携帯端末装置１０に送信する（ステップＳ３６）。
【００２５】
携帯端末用データ編集装置２０から「表示データ」を受信した携帯端末装置１０は、第４の状態１０（４）で示すように、「１ｍ定長温度グラフデータ表示」として表示部１１に表示する。
【００２６】
図４（ａ）〜（ｅ）は、各部に格納されているデータの一例を示し、図４（ａ）は、要求テキスト対比テーブル２５に格納されているデータの一例を示している。図４（ｂ）は、部品リストテーブル２６に格納されているデータの一例を示している。図４（ｃ）は、選択部品ＩＤ ＷＫ２８で管理している表示データの一例を示している。図４（ｄ）は、データリスト編集テーブル２７に格納されているデータの一例を示している。図４（ｅ）は、データベース２９に格納されているデータの一例を示している。
【００２７】
次に、図５を参照しながら、製鉄プロセスの中で、製造や監視に必要な制御データ等を携帯端末装置１０で参照する具体的な手順を詳細に説明する。
携帯端末装置１０において、オペレータが発音することにより発生した表示要求は、音声テキスト変換部１３によりテキストデータに変換され、「表示要求データ」として携帯端末用データ編集装置２０に送信される（ステップＳ５１）。
【００２８】
携帯端末装置１０から送信された「表示要求データ」は、テキストデータ送受信処理部２１により受信処理される。本実施形態においては、（１）表示要求受信、（２）要求テキスト対比テーブル２５において、「要求パラメータ＝表示要求」を検索する処理、（３）部品リスト編集プログラムを起動して、「要求パラメータ＝表示要求」を検索する処理、の各処理が行われる。
【００２９】
次に、部品リスト編集部２２において、部品リスト編集が行われる。これは、（１）部品リスト編集プログラム起動を受付けて、「要求パラメータ＝表示要求」に対応して（２）部品リストテーブル２６を検索し、（３）部品リスト編集する処理を行って、「グラフ部品」及び「テキスト部品」を表示用データとして作成する。そして、これらのデータを携帯端末装置１０に送信する（ステップＳ５２）。
【００３０】
携帯端末装置１０においては、携帯端末用データ編集装置２０から送られた「グラフ部品」及び「テキスト部品」を表示部１１に表示し、製鉄プロセスの現状において必要とする表示部品を選択する。
【００３１】
次に、図６を参照しながら携帯端末装置１０に所望するグラフ表示を行う例を説明する。
図５で説明した処理により表示部１１に表示された「表示部品」の中から、音声入力により「グラフ」を選択すると、それが音声テキスト変換部１３によりテキストデータに変換され、携帯端末用データ編集装置２０に送信される（ステップＳ６１）。
【００３２】
携帯端末用データ編集装置２０においては、携帯端末装置１０から送信された「グラフ」を要求するテキストデータを受信すると、テキストデータ受信処理が行われる。これは、（１）「グラフ」の受信処理、（２）「要求パラメータ＝グラフ」を要求テキスト対比テーブル２５から検索する処理、（３）データリスト編集プログラムを起動して、「要求パラメータ＝データリスト編集」とする処理である。
【００３３】
次に、データリスト編集部２３において、データリスト編集が行われる。これは、（１）データリスト編集プログラム起動受付で、「要求パラメータ＝グラフ」とする処理、（２）選択部品ＩＤ ＷＫ２８に、(#1、"グラフ")を登録する処理、（３）データリスト編集テーブル２７を検索する処理、（４）データリスト編集を行って、「１ｍ定長温度」、「１ｍ定長板厚」、「1秒周期温度」を表示用データとして作成し、これらの作成したデータを携帯端末装置１０に送信する（ステップＳ６２）。
【００３４】
携帯端末装置１０においては、携帯端末用データ編集装置２０から送られた「１ｍ定長温度」、「１ｍ定長板厚」、「1秒周期温度」が表示部１１に表示される。
【００３５】
次に、図７を参照しながら、携帯端末装置１０において「１ｍ定長温度」を選択した場合に行われる処理の流れを説明する。
オペレータの音声入力により「１ｍ定長温度」が選択されると、音声テキスト変換部１３によりテキストデータに変換されて携帯端末用データ編集装置２０に送信される（ステップＳ７１）。
【００３６】
携帯端末用データ編集装置２０においては、テキストデータ送受信処理部２１において受信処理が行われる。この処理は、（１）「１ｍ定長温度」を表示するのを携帯端末装置１０から要求されたことを受信する処理、（２）要求テキスト対比テーブル２５から「要求パラメータ＝画面編集」であることを検索する処理、（３）画面編集プログラムを起動して、「要求パラメータ＝１ｍ定長温度」とする。
【００３７】
次に、画面編集部２４により画面編集処理を行う。この処理は、（１）画面編集プログラム起動受付を行って、「要求パラメータ＝１ｍ定長温度」とする処理、（２）選択部品ＩＤ ＷＫ２８により、「#1、"グラフ"、"１ｍ定長温度"」の画面編集を行う処理、（３）「レイアウト編集」を行う処理、（４）データベース２９を検索する処理、（５）グラフ部品へのデータ書込処理、等を行う。このようにして作成した表示データを携帯端末装置１０に送信する（ステップＳ７２）。
【００３８】
携帯端末装置１０においては、携帯端末用データ編集装置２０から送られた表示データを表示部１１に表示する処理を行う。この場合、「１ｍ定長温度グラフ」の表示が行われるとともに、データ表示として、「#1、"グラフ"、"１ｍ定長温度"」が行われる。
【００３９】
次に、図８を参照しながら、携帯端末装置１０に「１秒周期温度」を追加表示する処理手順を説明する。
オペレータが「１秒周期温度」を音声入力すると、それが音声テキスト変換部１３によりテキストデータに変換され、携帯端末用データ編集装置２０に送信される（ステップＳ８１）。
【００４０】
携帯端末用データ編集装置２０においては、テキストデータ送受信処理部２１においてテキストデータ受信処理が行われる。この処理は、（１）「１秒周期温度」を表示するのを携帯端末装置１０から要求されたことを受信する処理、（２）要求テキスト対比テーブル２５から「要求パラメータ＝画面編集」を検索する処理、（３）画面編集プログラムを起動して、「要求パラメータ＝１秒周期温度」とする処理、等が行われる。
【００４１】
次に、画面編集部２４において画面編集処理が行われる。これは、（１）画面編集プログラム起動受付を行って、「要求パラメータ＝１秒周期温度」とする処理、（２）選択部品ＩＤ ＷＫ２８により管理している、「#2、"グラフ"、"１秒周期温度"」の画面を編集する処理、（３）レイアウト編集処理、（４）データベース２９のデータ検索処理、（５）グラフ部品へのデータ書込み処理、等を行う。このようにして作成した表示データを携帯端末装置１０に送信する（ステップＳ８２）。
【００４２】
携帯端末装置１０においては、携帯端末用データ編集装置２０から送られた表示データを表示部１１に表示する処理を行う。この場合、「１ｍ定長温度グラフ」及び「１秒周期温度グラフ」表示が行われるとともに、データ表示として、「#1、"グラフ"、"１ｍ定長温度"」、「#2、"グラフ"、"１秒周期温度"」の表示が行われる。
本実施形態においては、携帯端末装置１０に表示するデータを前述したようにして選択していくので、生産ライン等において参照したいデータがその時々や状況によりその組み合わせが異なる場合等に用いて特に有効である。
【００４３】
図９に、携帯端末用データ編集装置２０及び携帯端末装置１０を構成可能なコンピュータシステムの一例を示す。
【００４４】
図９において、９００はコンピュータＰＣである。ＰＣ９００は、ＣＰＵ９０１を備え、ＲＯＭ９０２またはハードディスク（ＨＤ）９１１に記憶された、あるいはフレキシブルディスクドライブ（ＦＤ）９１２より供給されるデバイス制御ソフトウェアを実行し、システムバス９０４に接続される各デバイスを総括的に制御する。
【００４５】
前記ＰＣ９００のＣＰＵ９０１，ＲＯＭ９０２またはハードディスク（ＨＤ）９１１に記憶されたプログラムにより、本実施の形態の各機能手段が構成される。
【００４６】
９０３はＲＡＭで、ＣＰＵ９０１の主メモリ、ワークエリア等として機能する。９０５はキーボードコントローラ（ＫＢＣ）であり、キーボード（ＫＢ）９０９から入力される信号をシステム本体内に入力する制御を行う。９０６は表示コントローラ（ＣＲＴＣ）であり、表示装置（ＣＲＴ）９１０上の表示制御を行う。９０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）９１１、及びフレキシブルディスク（ＦＤ）９１２とのアクセスを制御する。
【００４７】
９０８はネットワークインタフェースカード（ＮＩＣ）で、ＬＡＮ９２０を介して、ネットワークプリンタ、他のネットワーク機器、あるいは他のＰＣと双方向のデータのやり取りを行う。
【００４８】
（本発明に係る他の実施の形態）
前述した本発明の実施の形態における携帯端末装置１０、携帯端末用データ編集装置２０を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４９】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００５０】
なお、本発明は、前述した実施の形態の機能を実現するソフトウェアのプログラムを、システムあるいは装置に直接、あるいは遠隔から供給する。そして、そのシステムあるいは装置のコンピュータが前記供給されたプログラムコードを読み出して実行することによっても達成される場合を含む。
【００５１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５２】
その場合、プログラムの機能を有していれば、オブジェクトコード、インタプリタにより実行されるプログラム、ＯＳに供給するスクリプトデータ等の形態であってもよい。
【００５３】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００５４】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００５７】
また、コンピュータが、読み出したプログラムを実行することによって、前述した実施の形態の機能が実現される。その他、そのプログラムの指示に基づき、コンピュータ上で稼動しているＯＳなどが、実際の処理の一部または全部を行い、その処理によっても前述した実施の形態の機能が実現され得る。
【００５８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５９】
【図１】携帯端末装置の概略構成を示すブロック図である。
【図２】携帯端末用データ編集装置の概略構成を示すブロック図である。
【図３】携帯端末装置と携帯端末用データ編集装置との間で行われるデータの授受フローを説明する図である。
【図４】各部に格納されているデータの一例を示し、（ａ）は要求テキスト対比テーブル２５に格納されているデータの一例、（ｂ）は部品リストテーブルに格納されているデータの一例、（ｃ）は選択部品ＩＤ ＷＫで管理している表示データの一例、（ｄ）はデータリスト編集テーブルに格納されているデータの一例、（ｅ）はデータベースに格納されているデータの一例を示す図である。
【図５】製鉄プロセスの中で、製造や監視に必要な制御データ等を携帯端末装置で参照する具体的な手順を説明する図である。
【図６】所望するグラフ表示を携帯端末装置に行う具体的な手順を説明する図である。
【図７】携帯端末装置において「１ｍ定長温度」を選択した場合に行われる処理の流れを説明する図である。
【図８】携帯端末装置に「１秒周期温度」を追加表示する処理手順を説明する図である。
【図９】携帯端末用データ編集装置及び携帯端末装置を構成可能なコンピュータシステムの一例を示す図である。
【符号の説明】
【００６０】
１０  携帯端末装置１０
１１  表示部
１２  表示制御部
１３  音声テキスト変換部
１４  無線通信部
２０  携帯端末用データ編集装置
２１  テキストデータ送受信処理部
２２  部品リスト編集部
２３  データリスト編集部
２４  画面編集部
２５  要求テキスト対比テーブル
２６  部品リストテーブル
２７  データリスト編集テーブル
２８  選択部品ＩＤ ＷＫ
２９  データベース
【図１】
2007115009.tif 000003
【図２】
2007115009.tif 000004
【図３】
2007115009.tif 000005
【図４】
2007115009.tif 000006
【図５】
2007115009.tif 000007
【図６】
2007115009.tif 000008
【図７】
2007115009.tif 000009
【図８】
2007115009.tif 000010
【図９】
2007115009.tif 000011